(57)【特許請求の範囲】
【請求項１】
吸気口と排気口を有する本体ケースと、この本体ケース内に設けられるとともに、吸湿部と放湿部を有する除湿ローターと、この前記除湿ローターを回転させる回転手段と、前記本体ケースの前記吸気口から吸込んだ空気を、除湿風路により、前記除湿ローターの前記吸湿部を通過後、前記排気口から前記本体ケース外に排気する第一の送風機と、前記本体ケース内に設けられた再生風路とを備え、前記再生風路は、前記除湿ローターの前記放湿部と、この前記放湿部の風上側に設けた発熱手段と、この前記放湿部の風下側に設けた熱交換器と、この前記再生風路内の空気を循環させる第二の送風機とを有し、前記熱交換器は、前記再生風路の前記除湿ローターの前記放湿部の風下側に位置すると共に、前記除湿風路の前記本体ケースの前記吸気口と前記除湿ローターの前記吸湿部との間の風路に位置し、前記発熱手段は、前記第二の送風機からの送風を取り込む空気入口部と前記除湿ローターの前記放湿部に対向した開口面とを有する箱体と、前記箱体の開口面を覆う蓋部とを有し、扇形形状の前記箱体は、一方半径側の面に前記空気入口部を有し、前記蓋部には前記発熱手段で加熱された空気を吹き出す空気出口部を設け、この前記箱体内に第１発熱部と第２発熱部とを設けられるとともに、前記第２発熱部は扇形形状の前記空気出口部の空気入口部側の周縁部である空気入口部側周縁部と、前記空気入口部側に対向した周縁部である対向空気入口部側周縁部に近接して蛇腹状に配置され、前記第１発熱部は前記空気入口部側周縁部と、前記対向空気入口部側周縁部に近接せずに、前記空気出口部の内側に配置され、前記第二の送風機によって、前記空気入口部、前記第１発熱部、前記第２発熱部を介して前記空気出口部へと流れる第１の箱体内送風路と、前記空気入口部、前記第２発熱部を介して前記空気出口部へと流れる第２の箱体内送風路とを備え、この前記第２の箱体内送風路は、前記空気出口部の少なくとも周縁部の一部を流れる構成としたことを特徴とした除湿装置。
【請求項２】
第２の箱体内送風路は、空気出口部の空気入口部側の周縁部である空気入口部側周縁部と、前記空気出口部の前記空気入口部側に対向した周縁部である対向空気入口部側周縁部とに位置し、前記空気入口部側周縁部の前記第２の箱体内送風路の前記第２発熱部の面積は、前記対向空気入口部側周縁部の前記第２の箱体内送風路の前記第２発熱部の面積より大きいことを特徴とする請求項１記載の除湿装置。
【請求項３】
第２の箱体内送風路は、空気出口部の空気入口部側の周縁部である空気入口部側周縁部と、前記空気出口部の前記空気入口部側に対向した周縁部である対向空気入口部側周縁部とに位置し、除湿ローターの回転方向は、前記対向空気入口部側周縁部から前記空気入口部側周縁部方向に回転し、前記対向空気入口部側周縁部の前記第２の箱体内送風路の前記第２発熱部の面積は、前記空気入口部側周縁部の前記第２の箱体内送風路の前記第２発熱部の面積より大きいことを特徴とする請求項１記載の除湿装置。
【請求項４】
第１発熱部の発熱量が第２発熱部より大きい請求項１〜３のいずれかに記載の除湿装置。
【請求項５】
第１発熱部の発熱量が第２発熱部より小さい請求項１〜３のいずれか記載の除湿装置。
【発明の詳細な説明】
【技術分野】
【０００１】
本発明は、室内空気を除湿する除湿装置に関するものである。
【背景技術】
【０００２】
従来、この種の除湿装置は、図１０、図１１および図１２に示すものが知られている（例えば、特許文献１参照）。
【０００３】
図１０に示すように、本体１０１内には空気中の水分を吸着する除湿ローター１０２と、除湿ローター１０２を回転させる駆動手段１０３と、除湿ローター１０２から水分を放出させる発熱ユニット１０４と、この発熱ユニット１０４により除湿ローター１０２から放出された高温高湿空気を結露させる熱交換器１０５と、熱交換器１０５を通過した高温湿空気を発熱ユニット１０４に戻すダクト１０５ａを内蔵している。発熱ユニット１０４、除湿ローター１０２、熱交換器１０５、ダクト１０５ａは仕切り板（図示せず）によって支持され、本体１０１内部に固定されている。第１送風手段１０７により発熱ユニット１０４、除湿ローター１０２、熱交換器１０５、ダクト１０５ａの順序に通過する空気を閉循環させる閉循環風路ａと、第２送風手段１０８により熱交換器１０５を冷却するとともに除湿ローター１０２に水分を吸着させて吹出口から乾燥空気を送出する風路ｂを形成している。なお閉循環風路ａにおいて、熱交換器１０５内で結露を起こして生じた結露水は排水タンク１０９に貯えるようになっている。
【０００４】
また、図１１に示すように、ハニカム形状で円筒型の除湿ローター１０２は駆動手段１０３により回転可能に設けられ、閉循環風路において、第１送風手段１０７から送られた空気が発熱ユニット１０４に空気入口部１１０から入り、発熱ユニット１０４内の略扇形状で蛇腹状に均等配置され、電熱体１１１から電熱体１１２へと通過し、略扇形状の空気出口部１１３より排出され、さらに発熱ユニットおよび除湿ローター１０２を通過し、熱交換器１０５に送られる構成となっている。
【０００５】
また、図１２に示すように、発熱ユニット１０４内では略扇形状で蛇腹状に均等配置された電熱体１１１と電熱体１１２は、空気出口部１１３の垂直方向に向かって、空気出口部１１３に近い方に電熱体１１２が配置され、遠い方に電熱体１１１が配置され、また電熱体１１１と電熱体１１２を支持する放射状に配置された複数の絶縁板１１４を設け、絶縁板１１４は空気出口部１１３に対し垂直に配置されている構成となっている。電熱体１１１と電熱体１１２は略扇形形状の空気出口部１１３の周縁部である空気入口部１１０側の空気入口部側周縁部１１７と、空気入口部１１側に対向した周縁部である対向空気入口部側周縁部１１８に近接して配置されている構成となっている。
【先行技術文献】
【特許文献】
【０００６】
【特許文献１】特開２００３―３８９３０号公報（第５−６頁、第１図、第２図）
【発明の概要】
【発明が解決しようとする課題】
【０００７】
このような従来の除湿装置では、空気出口部から除湿ローターに加熱空気が供給される際に、除湿ローターの圧損が高いために空気出口部の周縁部では除湿ローター以外に漏れる加熱空気が多くなるので、除湿ローターの水分放出性能に大きな熱損失が出るため、除湿性能が低下するという課題があった。
【０００８】
そこで本発明は、上記従来の課題を解決するものであり、空気出口部から除湿ローターに加熱空気が供給される際に、空気出口部の周縁部の除湿ローター以外に漏れる加熱空気を低減し、除湿ローターの水分放出性能の熱損失を低減して、除湿性能を向上した除湿機を提供することを目的とする。
【課題を解決するための手段】
【０００９】
そして、この目的を達成するために、本発明は、吸気口と排気口を有する本体ケースと、この本体ケース内に設けられるとともに、吸湿部と放湿部を有する除湿ローターと、この前記除湿ローターを回転させる回転手段と、前記本体ケースの前記吸気口から吸込んだ空気を、除湿風路により、前記除湿ローターの前記吸湿部を通過後、前記排気口から前記本体ケース外に排気する第一の送風機と、前記本体ケース内に設けられた再生風路とを備え、前記再生風路は、前記除湿ローターの前記放湿部と、この前記放湿部の風上側に設けた発熱手段と、この前記放湿部の風下側に設けた熱交換器と、この前記再生風路内の空気を循環させる第二の送風機とを有し、前記熱交換器は、前記再生風路の前記除湿ローターの前記放湿部の風下側に位置すると共に、前記除湿風路の前記本体ケースの前記吸気口と前記除湿ローターの前記吸湿部との間の風路に位置し、前記発熱手段は、前記第二の送風機からの送風を取り込む空気入口部と前記除湿ローターの前記放湿部に対向した開口面とを有する箱体と、前記箱体の開口面を覆う蓋部とを有し、扇形形状の前記箱体は、一方半径側の面に前記空気入口部を有し、前記蓋部には前記発熱手段で加熱された空気を吹き出す空気出口部を設け、この前記箱体内に第１発熱部と第２発熱部とを設けられるとともに、前記第２発熱部は扇形形状の前記空気出口部の空気入口部側の周縁部である空気入口部側周縁部と、前記空気入口部側に対向した周縁部である対向空気入口部側周縁部に近接して蛇腹状に配置され、前記第１発熱部は前記空気入口部側周縁部と、前記対向空気入口部側周縁部に近接せずに、前記空気出口部の内側に配置され、前記第二の送風機によって、前記空気入口部、前記第１発熱部、前記第２発熱部を介して前記空気出口部へと流れる第１の箱体内送風路と、前記空気入口部、前記第２発熱部を介して前記空気出口部へと流れる第２の箱体内送風路とを備え、この前記第２の箱体内送風路は、前記空気出口部の少なくとも周縁部の一部を流れる構成としたことを特徴とした除湿装置であり、これにより所期の目的を達成するものである。
【発明の効果】
【００１０】
本発明によれば、吸気口と排気口を有する本体ケースと、この本体ケース内に設けられるとともに、吸湿部と放湿部を有する除湿ローターと、この前記除湿ローターを回転させる回転手段と、前記本体ケースの前記吸気口から吸込んだ空気を、除湿風路により、前記除湿ローターの前記吸湿部を通過後、前記排気口から前記本体ケース外に排気する第一の送風機と、前記本体ケース内に設けられた再生風路とを備え、前記再生風路は、前記除湿ローターの前記放湿部と、この前記放湿部の風上側に設けた発熱手段と、この前記放湿部の風下側に設けた熱交換器と、この前記再生風路内の空気を循環させる第二の送風機とを有し、前記熱交換器は、前記再生風路の前記除湿ローターの前記放湿部の風下側に位置すると共に、前記除湿風路の前記本体ケースの前記吸気口と前記除湿ローターの前記吸湿部との間の風路に位置し、前記発熱手段は、前記第二の送風機からの送風を取り込む空気入口部と前記除湿ローターの前記放湿部に対向した開口面とを有する箱体と、前記箱体の開口面を覆う蓋部とを有し、扇形形状の前記箱体は、一方半径側の面に前記空気入口部を有し、前記蓋部には前記発熱手段で加熱された空気を吹き出す空気出口部を設け、この前記箱体内に第１発熱部と第２発熱部とを設けられるとともに、前記第２発熱部は扇形形状の前記空気出口部の空気入口部側の周縁部である空気入口部側周縁部と、前記空気入口部側に対向した周縁部である対向空気入口部側周縁部に近接して蛇腹状に配置され、前記第１発熱部は前記空気入口部側周縁部と、前記対向空気入口部側周縁部に近接せずに、前記空気出口部の内側に配置され、前記第二の送風機によって、前記空気入口部、前記第１発熱部、前記第２発熱部を介して前記空気出口部へと流れる第１の箱体内送風路と、前記空気入口部、前記第２発熱部を介して前記空気出口部へと流れる第２の箱体内送風路とを備え、この前記第２の箱体内送風路は、前記空気出口部の少なくとも周縁部の一部を流れる構成としたことにより、前記除湿ローターの圧損が高いために空気が漏れやすい前記蓋部の前記空気出口部の周縁部の少なくとも一部には、前記第２発熱部のみで加熱される前記第２の箱体内送風路が位置するので、前記第１発熱部および前記第２発熱部の両方で加熱される前記第１の箱体内送風路からの加熱空気の漏れ量を抑制することができるという効果を得ることができる。
【図面の簡単な説明】
【００１１】
【図１】本発明の実施の形態１〜６の除湿装置を示す概略模式図
【図２】同、除湿装置の発熱手段を示す外観斜視図
【図３】本発明の実施の形態１〜２の除湿装置の発熱手段内部を示す要部断面図
【図４】本発明の実施の形態１の除湿装置の発熱手段を示す概略平面図
【図５】本発明の実施の形態２の除湿装置の発熱手段を示す概略平面図
【図６】本発明の実施の形態３の除湿装置の発熱手段内部を示す要部断面図
【図７】本発明の実施の形態４の除湿装置の発熱手段内部を示す要部断面図
【図８】本発明の実施の形態５の除湿装置の発熱手段内部を示す要部断面図
【図９】本発明の実施の形態６の除湿装置の発熱手段内部を示す要部断面図
【図１０】従来の除湿装置を示す概略模式図
【図１１】同、発熱手段付近の構成を示す内部斜視図
【図１２】同、発熱手段を示す概略平面図
【発明を実施するための形態】
【００１２】
吸気口と排気口を有する本体ケースと、この本体ケース内に設けられるとともに、吸湿部と放湿部を有する除湿ローターと、この前記除湿ローターを回転させる回転手段と、前記本体ケースの前記吸気口から吸込んだ空気を、除湿風路により、前記除湿ローターの前記吸湿部を通過後、前記排気口から前記本体ケース外に排気する第一の送風機と、前記本体ケース内に設けられた再生風路とを備え、前記再生風路は、前記除湿ローターの前記放湿部と、この前記放湿部の風上側に設けた発熱手段と、この前記放湿部の風下側に設けた熱交換器と、この前記再生風路内の空気を循環させる第二の送風機とを有し、前記熱交換器は、前記再生風路の前記除湿ローターの前記放湿部の風下側に位置すると共に、前記除湿風路の前記本体ケースの前記吸気口と前記除湿ローターの前記吸湿部との間の風路に位置し、前記発熱手段は、前記第二の送風機からの送風を取り込む空気入口部と前記除湿ローターの前記放湿部に対向した開口面とを有する箱体と、前記箱体の開口面を覆う蓋部とを有し、扇形形状の前記箱体は、一方半径側の面に前記空気入口部を有し、前記蓋部には前記発熱手段で加熱された空気を吹き出す空気出口部を設け、この前記箱体内に第１発熱部と第２発熱部とを設けられるとともに、前記第２発熱部は扇形形状の前記空気出口部の空気入口部側の周縁部である空気入口部側周縁部と、前記空気入口部側に対向した周縁部である対向空気入口部側周縁部に近接して蛇腹状に配置され、前記第１発熱部は前記空気入口部側周縁部と、前記対向空気入口部側周縁部に近接せずに、前記空気出口部の内側に配置され、前記第二の送風機によって、前記空気入口部、前記第１発熱部、前記第２発熱部を介して前記空気出口部へと流れる第１の箱体内送風路と、前記空気入口部、前記第２発熱部を介して前記空気出口部へと流れる第２の箱体内送風路とを備え、この前記第２の箱体内送風路は、前記空気出口部の少なくとも周縁部の一部を流れる構成としたことにより、前記除湿ローターの圧損が高いために空気が漏れやすい前記蓋部の前記空気出口部の周縁部の少なくとも一部には、前記第２発熱部のみで加熱される前記第２の箱体内送風路が位置するので、前記第１発熱部および前記第２発熱部の両方で加熱される前記第１の箱体内送風路からの加熱空気の漏れ量を抑制することができるという効果を奏する。
【００１３】
また、第２の箱体内送風路は、空気出口部の空気入口部側の周縁部である空気入口部側周縁部と、前記空気出口部の前記空気入口部側に対向した周縁部である対向空気入口部側周縁部とに位置し、前記空気入口部側周縁部の前記第２の箱体内送風路の前記第２発熱部の面積は、前記対向空気入口部側周縁部の前記第２の箱体内送風路の前記第２発熱部の面積より大きくなるので、除湿ローターに供給される加熱空気が、前記空気入口部側のため風速が最も速く前記除湿ローター以外に多量に漏れ易い前記空気出口部の前記空気入口部側周縁部において、相対的に前記除湿ローターの加熱量を少なく出来るので、加熱空気の漏れによる熱損失を低減し、前記除湿ローターの水分放出性能の損失を低減することが出来る効果を奏する。
【００１４】
また、第２の箱体内送風路は、空気出口部の空気入口部側の周縁部である空気入口部側周縁部と、前記空気出口部の前記空気入口部側に対向した周縁部である対向空気入口部側周縁部とに位置し、除湿ローターの回転方向は、前記対向空気入口部側周縁部から前記空気入口部側周縁部方向に回転し、前記対向空気入口部側周縁部の前記第２の箱体内送風路の前記第２発熱部の面積は、前記空気入口部側周縁部の前記第２の箱体内送風路の前記第２発熱部の面積より大きくなるので、回転する前記除湿ローターが吸湿部から発熱手段がある放湿部に移行する際に、第２発熱部のみで加熱を行う前記第２の箱体送風路で十分に加熱されてから、第１発熱部と２発熱部による加熱を行う第１の箱体送風路の加熱に移行するので、前記除湿ローターは急激に加熱されることがないので、熱衝撃による前記除湿ローターの割れを防ぐことができる効果を奏する。
【００１５】
また、第１発熱部の発熱量が第２発熱部より大きいという構成にしてもよい。これにより、除湿ローター以外に漏れやすい空気入口部側周縁部および対向空気入口部側周縁部に比べ、漏れにくい中心線部分に集中的に前記除湿ローターの加熱量を多くすることで、前記除湿ローターの水分放出の効率をさらに高めることが出来る効果を奏する。
【００１６】
また、第１発熱部の発熱量が第２発熱部より小さいという構成にしてもよい。これにより、放湿部において、回転する除湿ローターが、前記第２発熱部のみで加熱する第２の箱体内送風路から第１発熱部と２発熱部で加熱を行う第１の箱体内送風路に移行する際に、前記除湿ローターは緩やかに加熱量が増加されるので、加熱による前記除湿ローター素子の劣化を低減することが出来る効果を奏する。
【００２２】
以下、本発明の実施の形態について図面を参照しながら説明する。
【００２３】
（実施の形態１）
図１に示すように、吸気口４と排気口６を有する本体ケース１と、この本体ケース１内には、吸湿部２ｂと放湿部２ａを有する除湿ローター２と、この除湿ローター２を回転させる回転手段３と、第一の送風機７とを備えている。この第一の送風機７によって、除湿風路ｂに空気を送風するものである。除湿風路ｂには、吸気口４、後述する熱交換器５と、除湿ローター２の吸湿部２ｂ、排気口６を順次設けた構成である。すなわち、本体ケース１の吸気口４から吸込んだ空気を、後述する熱交換器５の外面を介して、除湿ローター２の吸湿部２ｂを通過させることにより、吸気口４から吸込んだ空気の湿気を除湿ローター２の吸湿部２ｂで吸着、つまり除湿し、排気口６から本体ケース１外に除湿した空気を排気するものである。
【００２４】
また、本体ケース１内には、再生風路ａを備えている。この再生風路ａは、除湿ローター２の放湿部２ａと、この放湿部２ａの風上側に設けた発熱手段９と、この放湿部２ａの風下側に設けた熱交換器５と、この再生風路ａ内の空気を循環させる第二の送風機８とを有する構成となっている。すなわち、最初に、再生風路ａ内の空気を、発熱手段９で加熱し、高温で相対湿度が低い状態にし、除湿ローター２の放湿部２ａへ送風する。ここで、除湿ローター２の放湿部２ａは、高温で相対湿度が低い状態の空気が通過するので、除湿ローター２の放湿部２ａの湿気をこの空気に放出することになる。次に、この湿気を含んだ相対湿度の高い空気は、熱交換器５の内部へ送風される。ここで、熱交換器５は、除湿風路ｂ内に位置すると共に、熱交換器５の内部には、再生風路ａを備えているものである。つまり、熱交換器５の内部には、除湿ローター２の放湿部２ａから、湿気を含んだ相対湿度の高い空気が再生風路ａを介して送風されると共に、熱交換器５の外面には、本体ケース１の吸気口４から吸込んだ空気が除湿風路ｂを介して送風されるものである。すなわち、再生風路ａ内、つまり熱交換器５の内部の湿気を含んだ相対湿度の高い空気は、熱交換器５を介して、除湿風路ｂ内、つまり熱交換器５の外面を通過する本体ケース１の吸気口４から吸込んだ空気によって冷却され、結果として除湿されるものである。そして、この除湿され空気を、再び、発熱手段９へ送風し循環させるものである。
【００２５】
図２に示すように、発熱手段９は、空気入口部１１と開口面とを有すると略扇形形状の箱体１０と、箱体１０の開口面を覆う略扇形形状の蓋部１２と、この箱体１０内には、第１発熱部である第１電熱体１４と、第２発熱部である第２電熱体１５とを設けたものである。箱体１０は、第二の送風機８からの送風を取り込む空気入口部１１と除湿ローター２の放湿部２ａに対向した開口面とを有している。蓋部１２は、発熱手段９で加熱された空気を吹き出す略扇形形状の空気出口部１３を設けている。
【００２６】
図３に示すように、第１電熱体１４と第２電熱体１５は、空気出口部１３に対して垂直で放射状に配置された複数の絶縁板１６に支持されており、空気出口部１３に対して垂直方向に２層重ねて配置されている。空気出口部１３に近い方が第２電熱体１５であり、遠い方が第１電熱体１４となっている。
【００２７】
図４に示すように、第２電熱体１５は略扇形形状の空気出口部１３の空気入口部１１側の周縁部である空気入口部側周縁部１７と、空気入口部１１側に対向した周縁部である対向空気入口部側周縁部１８に近接して蛇腹状に配置されており、第１電熱体１４は空気入口部側周縁部１７と、対向空気入口部側周縁部１８に近接せずに、空気出口部１３の内側に配置されている。
【００２８】
すなわち、空気出口部１３から除湿ローター２に供給される加熱空気は、第１電熱体１４と第２電熱体１５を介して空気出口部１３から除湿ローター２に流れる第１の箱体内送風路１９と、第２電熱体のみを介して空気出口部１３から除湿ローター２へと流れる第２の箱体内送風路２０を二ヶ所備えることになる。
【００２９】
また、二ヶ所の第２の箱体内送風路２０において、空気入口部側周縁部１７の第２の箱体内送風路２０の発熱面積は、対向空気入口部側周縁部１８の第２の箱体内送風路２０の発熱面積より大きい構成となっている。
【００３０】
また、第１電熱体１４の発熱量が第２電熱体１５より大きい構成となっている。
【００３１】
また、除湿ローター２の回転方向は、対向空気入口部側周縁部１８から空気入口部側周縁部１７に向かって回転する構成となっている。
【００３２】
このような構成によれば、除湿ローター２の圧損が高いために、空気入口部１１側のため風速が最も速く除湿ローター２以外に多量に漏れ易い蓋部の空気出口部１３の空気入口部側周縁部１７において、第２電熱体１５のみで加熱される第２の箱体内送風路２０が位置し、相対的に除湿ローター２の加熱量を少なく出来るので、第１電熱体１４および第２電熱体１５の両方で加熱される第１の箱体内送風路１９からの加熱空気の漏れ量を抑制することができ、加熱空気の漏れによる熱損失を低減し、除湿ローター２の水分放出性能の損失を低減することが出来る。
【００３３】
また、第１電熱体１４の発熱量が第２電熱体１５より大きいので、漏れにくい略扇形形状の空気出口部１３の中心線部分に集中的に除湿ローター２の加熱量を多くすることで、除湿ローター２の水分放出の効率をさらに高めることが出来る。
【００３４】
（実施の形態２）
以下、本発明の実施の形態２における除湿装置について図面を参照しながら説明する。なお、実施の形態１の構成と同様の構成を有するものについては、同一符号を付してその説明を省略する。
【００３５】
実施の形態２は、以下の内容が実施の形態１に対し異なる点である。
【００３６】
図５に示すように、二ヶ所の第２の箱体内送風路２０において、空気入口部側周縁部１７の第２の箱体内送風路２０の発熱面積は、対向空気入口部側周縁部１８の第２の箱体内送風路２０の発熱面積より小さい構成となっている。
【００３７】
また、第１電熱体１４の発熱量が第２電熱体１５より小さいという構成となっている。
【００３８】
このような構成によれば、回転する除湿ローター２が吸湿部２ｂから発熱手段９がある放湿部２ａに移行する際に、第２電熱体１５のみで加熱を行う第２の箱体内送風路２０で十分加熱を行ってから、第１電熱体１４と第２電熱体１５で加熱を行う第１の箱体内送風路１９の加熱へと移行するので、除湿ローター２は急激に加熱されることがないので、熱衝撃による除湿ローター２の割れを防ぐことができる。
【００３９】
また、第１電熱体１４の発熱量が第２電熱体１５より小さいので、放湿部２ａにおいて、回転する除湿ローター２が、第２電熱体１５のみで加熱する第２の箱体内送風路２０から第１電熱体１４と第２電熱体１５で加熱する第１の箱体内送風路１９に移行する際に、除湿ローター２は緩やかに加熱量が増加されるので、加熱による除湿ローター２の素子の劣化を低減することが出来る。
【００４０】
（実施の形態３）
以下、本発明の実施の形態３における除湿装置について図面を参照しながら説明する。なお、実施の形態１の構成と同様の構成を有するものについては、同一符号を付してその説明を省略する。
【００４１】
実施の形態３は、以下の内容が実施の形態１および実施の形態２に対し異なる点である。
【００４２】
図６に示すように、第１電熱体１４と第２電熱体１５を支持する放射状に配置された複数の絶縁板１６が、略扇形形状の空気出口部１３の中心線に向かって収束方向に傾斜してなる構成となっている。
【００４３】
このような構成によれば、加熱空気が空気出口部１３から除湿ローター２に供給される際に、絶縁板１６が風向板となり空気出口部１３の中心線部分に除湿ローター２に多く供給され、空気出口部１３の空気入口部側周縁部１７および対向空気入口部側周縁部１８には少なく供給され、それと比例する形で加熱量も空気出口部１３の中心線部分は大きくなるので、除湿ローター２の回転方向において放湿部２ａの除湿ローター２の温度の差が軽減されるので、加熱による除湿ローター２の素子の劣化をさらに低減することが出来る。
【００４４】
（実施の形態４）
以下、本発明の実施の形態４における除湿装置について図面を参照しながら説明する。なお、実施の形態１の構成と同様の構成を有するものについては、同一符号を付してその説明を省略する。
【００４５】
実施の形態４は、以下の内容が実施の形態１〜３に対し異なる点である。
【００４６】
図７に示すように、空気入口部１１と第１電熱体１４・第２電熱体１５の間に風向板２１を設け、風向板２１は空気出口部１３の空気入口部側周縁部１７に近接しており、空気出口部１３の中心線に向かって収束方向に傾斜している構成となっている。
【００４７】
このような構成によれば、風速が最も速く除湿ローター２以外に多量に漏れ易い空気出口部１３の空気入口部側周縁部１７において、除湿ローター２以外に漏れにくい中心線部分に向かって除湿ローター２に供給されるので、除湿ローター２以外に漏れる加熱空気を低減し、除湿ローター２の水分放出性能の損失をさらに低減することが出来る効果を奏する。
【００４８】
（実施の形態５）
以下、本発明の実施の形態５における除湿装置について図面を参照しながら説明する。なお、実施の形態１の構成と同様の構成を有するものについては、同一符号を付してその説明を省略する。
【００４９】
実施の形態５は、以下の内容が実施の形態４に対し異なる点である。
【００５０】
図８に示すように、風向板２１が蓋部１２と一体であり、空気出口部１３の空気入口部側周縁部１７および対向空気入口部側周縁部１８から箱体１０の内方向に延びており、風向板２１は空気出口部１３の中心線に向かって収束方向に傾斜しており、風向板２１の長さは、空気入口部側周縁部１７の方が対向空気入口部側周縁部１８より長い構成となっている。
【００５１】
この構成によれば、風向板２１に沿うことで、風速が最も速く除湿ローター以外に多量に漏れ易い空気出口部の空気入口部側周縁部側と、対向空気入口部側周縁部１８において、除湿ローター２以外に漏れにくい空気出口部１３の中心線部分に向かって除湿ローター２に供給されるので、部品数を増やすことなく安価に除湿ローター２以外に漏れる加熱空気をさらに低減出来る。
【００５２】
（実施の形態６）
以下、本発明の実施の形態６における除湿装置について図面を参照しながら説明する。なお、実施の形態１の構成と同様の構成を有するものについては、同一符号を付してその説明を省略する。
【００５３】
実施の形態６は、以下の内容が実施の形態５に対し異なる点である。
【００５４】
図９に示すように、風向板２１は、複数の風向板開口穴２２を設けており、風向板開口穴２２は第１電熱体１４および第２電熱体１５に対し、再生風路ａにおいて上流側に配置された構成となっている。
【００５５】
この構成によれば、第１電熱体１４および第２電熱体１５に流入される空気が風向板開口穴２２を通すことで空気入口部側周縁部１７から対向空気入口部側周縁部１８への方向において整流され、加熱空気が空気出口部１３から除湿ローター２に供給される際に、空気入口部側周縁部１７から対向空気入口部側周縁部１８への方向において加熱空気は均一に供給されるので、空気入口部側周縁部１７から対向空気入口部側周縁部１８への方向において放湿部２ａの除湿ローター２の温度が均一化され、空気入口部側周縁部１７から対向空気入口部側周縁部１８への方向の除湿ローター２の熱による収縮を均一化できる。
【産業上の利用可能性】
【００５６】
本発明にかかる除湿装置は、除湿ローターの水分放出性能の損失を低減して、除湿性能に優れる効果があり、家庭用はもとより、工場などに設置する工業用の除湿装置にも利用可能である。
【符号の説明】
【００５７】
ａ    再生風路
ｂ    除湿風路
１    本体ケース
２    除湿ローター
３    回転手段
４    吸気口
５    熱交換器
６    排気口
７    第一の送風機
８    第二の送風機
９    発熱手段
１０  箱体
１１  空気入口部
１２  蓋部
１３  空気出口部
１４  第１電熱体
１５  第２電熱体
１６  絶縁板
１７  空気入口部側周縁部
１８  対向空気入口部側周縁部
１９  第１の箱体内送風路
２０  第２の箱体内送風路
２１  風向板
【図１】
0005909621.tif 000002
【図２】
0005909621.tif 000003
【図３】
0005909621.tif 000004
【図４】
0005909621.tif 000005
【図５】
0005909621.tif 000006
【図６】
0005909621.tif 000007
【図７】
0005909621.tif 000008
【図８】
0005909621.tif 000009
【図９】
0005909621.tif 000010
【図１０】
0005909621.tif 000011
【図１１】
0005909621.tif 000012
【図１２】
0005909621.tif 000013